(57)【要約】【課題】ピットに留め置いたワゴンに対してピットから安全に給電できるようにする。【解決手段】移動可能なワゴンと、当該ワゴンを所定の停留位置に留め置くことが可能なピットとの間に設けられる給電装置であって、前記ピット側に設けられた窓を有する給電ケースと、前記給電ケースの内部に配された給電端子と、前記ワゴン側に設けられ前記停留位置で前記窓に進入して前記給電端子に接続する受電端子と、前記受電端子が前記窓に進入したことを検出する検出手段と、前記検出手段において前記受電端子が前記窓に進入したことを検出している場合に限り前記給電端子を電源に接続するスイッチング手段とを具備する給電装置を構成した。【選択図】図７
2018068699.tif 000002
【特許請求の範囲】
【請求項１】
移動可能なワゴンと、当該ワゴンを所定の停留位置に留め置くことが可能なピットとの間に設けられる給電装置であって、
前記ピット側に設けられた窓を有する給電ケースと、
前記給電ケースの内部に配された給電端子と、
前記ワゴン側に設けられ前記停留位置で前記窓に進入して前記給電端子に接続する受電端子と、
前記受電端子が前記窓に進入したことを検出する検出手段と、
前記検出手段において前記受電端子が前記窓に進入したことを検出している場合に限り前記給電端子を電源に接続するスイッチング手段と
を具備する給電装置。
【請求項２】
前記ワゴンが、病院または診療所で使用されるナースカートであり、天板を備え、その天板に前記受電端子に接続しているコンセントが設けられている請求項１記載の給電装置。
【請求項３】
前記電源が、電気機器に交流電圧を供給することのできる交流電源である請求項１または２記載の給電装置。
【請求項４】
前記ワゴン側に磁石が設けられるとともに、前記ピット側に前記磁石が生じさせる磁界により回路を閉じさせるリードスイッチが設けられ、当該リードスイッチが前記検出手段兼前記スイッチング手段として機能する請求項１、２または３記載の給電装置。
【発明の詳細な説明】
【技術分野】
【０００１】
本発明は、病院や診療所で使用されるナースカート（ナーシングカート）等のワゴンと、当該ワゴンを所定の位置に停留させておくことが可能なピットとの間に設けられる給電装置に関する。
【背景技術】
【０００２】
病院や診療所において、電子カルテ用の情報処理端末（ラップトップ型パーソナルコンピュータやタブレット型コンピュータ等）、レントゲンフィルムその他の資料、薬剤、器具類の収納及び運搬の用途に供されるワゴンであるナースカート、並びに、ナースステーション等のスタッフが集まる場所に配置され、ナースカートを留め置くことができるピットが公知である（例えば、下記非特許文献を参照）。
【０００３】
ナースカートは、キャスタを取り付けて床面上を移動可能とした脚ベースに支柱を立設し、その支柱の中間部に棚やトレーを支持させるとともに、支柱の上端部に天板を配設した構造を備えることが通例である。ナースカートの使用者である看護師や介護士等は、棚やトレーを利用して必要な物品を収納するとともに、天板上に情報処理端末を載置して、病院や診療所内の各所に移動しながら業務を遂行する。
【０００４】
ナースカートに搭載した情報処理端末その他の電気機器の充電を行う場合、典型的には、ナースカート上の電気機器に接続した給電コードの差込プラグを、予めピットに設けられているコンセントに挿入する。だが、充電中に不用意にナースカートを動かしてしまい、コードが突っ張って電気機器がナースカートから落下するといった事故を起こす懸念がある。
【０００５】
一方、ナースカート自体にコンセント及び当該コンセントに電気的に接続する受電端子を設けるとともに、ピットに受電端子と接続する給電端子を設け、ナースカートをピットに留置する際に受電端子を給電端子に接続する態様をとることも考えられる。さすれば、電気機器に接続している給電コードの差込プラグをナースカートのコンセントに差し込んで電気機器を充電することが可能となる。そして、充電中にナースカートを動かしたとしても、受電端子と給電端子との接続が解除されるのみで、電気機器がナースカートから落下する等の事故を回避できる。
【０００６】
だが、このようなものであると、ピットの給電端子に電灯線または電力線から供給される電力、具体的には１００Ｖないし２００Ｖの交流電圧を直接に印加することとなる。従って、給電端子周りに感電を防止するための対策を施す必要が生じる。
【先行技術文献】
【非特許文献】
【０００７】
【非特許文献１】“医療施設用家具＜スタッフステーション＞”，コクヨ総合カタログ２０１６年版ファニチャー編，コクヨ株式会社，平成２７年１２月，ｐ．８０８−８１１
【発明の概要】
【発明が解決しようとする課題】
【０００８】
本発明は、ピットに留め置いたワゴンに対してピットから安全に給電できるようにすることを所期の目的としている。
【課題を解決するための手段】
【０００９】
上述した課題を解決するべく、本発明では、移動可能なワゴンと、当該ワゴンを所定の停留位置に留め置くことが可能なピットとの間に設けられる給電装置であって、前記ピット側に設けられた窓を有する給電ケースと、前記給電ケースの内部に配された給電端子と、前記ワゴン側に設けられ前記停留位置で前記窓に進入して前記給電端子に接続する受電端子と、前記受電端子が前記窓に進入したことを検出する検出手段と、前記検出手段において前記受電端子が前記窓に進入したことを検出している場合に限り前記給電端子を電源に接続するスイッチング手段とを具備する給電装置を構成した。
【００１０】
前記ワゴンは、例えば、病院または診療所で使用されるナースカートであり、天板を備え、その天板に前記受電端子に接続しているコンセントが設けられる。
【００１１】
前記電源は、例えば、電気機器に交流電圧を供給する交流電源である。
【００１２】
前記ワゴン側に磁石が設けられるとともに、前記ピット側に前記磁石が生じさせる磁界により回路を閉じさせるリードスイッチが設けられていれば、当該リードスイッチにより簡便に前記検出手段兼前記スイッチング手段を構成することができる。
【発明の効果】
【００１３】
本発明によれば、ピットに留め置いたワゴンに対してピットから安全に給電を行うことが可能となる。
【図面の簡単な説明】
【００１４】
【図１】本発明の一実施形態のワゴン及びピットを示す斜視図。
【図２】同実施形態のワゴンを示す斜視図。
【図３】同実施形態のピットを示す斜視図。
【図４】同実施形態のワゴン及びピットを示す側面図。
【図５】同実施形態の給電装置を示す斜視図。
【図６】同実施形態の給電装置を示す側断面図。
【図７】同実施形態の給電装置を示す側断面図。
【図８】同実施形態の給電装置の回路図。
【発明を実施するための形態】
【００１５】
本発明の一実施形態を、図面を参照して説明する。図１、図２ないし図４に示すように、本実施形態におけるワゴンたるナースカート１は、キャスタ１１１が取り付けられて移動が可能であり、各種物品及び電気機器５の運搬に用いられるものである。ナースカート１は、脚ベース１１と、脚ベース１１に対して固定された支柱１３と、支柱１３の上端部に設けられた支持構造体１４と、支持構造体１４の上に配された天板１５と、天板１５の一端側に沿って天板１５から離間した状態に設けられたハンドル１６とを主たる構成要素とする。
【００１６】
脚ベース１１は、前後方向に伸長し、左右に対をなして存在しており、キャスタ１１１を介して床面に接地する。キャスタ１１１は、各脚ベース１１の下面側に複数個取り付けられている。また、左右の脚ベース１１は、左右方向に伸長する連結材１２により相互に連結されている。
【００１７】
支柱１３は、連結材１２の左右方向の中央部位の上面側から起立している。支柱１３は、上下方向に伸縮可能なテレスコピック構造をなし、その伸縮を通じて支持構造体１４、天板１５及びハンドル１６の高さ位置を調節することが可能となっている。支柱１３には、各種物品を収納または載置することのできるトレー１３１や棚板等を複数段取り付けることができる。そのトレー１３１または棚板等の高さ位置は、使用者が任意に変更できる。
【００１８】
支持構造体１４は、天板１５及び収納棚を支持する構造体である。支持構造体１４は、支柱１３の上端に溶接等により剛結される横架材（図示せず）と、この横架材の両側端に溶接等により剛結されるステー１４１と、ステー１４１に固定される天板受け１４２とを備える。横架材は、金属例えばスチール製の板金素材を折曲加工して作製される、左右方向に拡張するチャネル状の部材である。横架材は、収納棚の一部を支持して固定するためにも利用される。
【００１９】
ステー１４１は、天板１５の使用端側即ち使用者からみて手前側にある前縁及び左右両側縁に沿うように平面視略コ字型に延びる。このステー１４１は金属製、例えばスチールの円柱（または、円筒）パイプ材を平面視略コ字型に曲げたものである。ステー１４１の前部は、左右方向に沿って伸長する。ステー１４１の左右両側部は、前後方向に沿って互いに平行に伸長し、その各々が横架材の左右の側端部にそれぞれ溶接等される。
【００２０】
天板受け１４２は、上下方向に所定寸法伸長した例えば樹脂一体成形品である。天板受け１４２の下端部には、内側方に向けて開口し、ステー１４１をくわえ込むことのできるような嵌合部１４３を形成している。嵌合部１４３の上下方向に沿った内寸は、ステー１４１の外形に略等しい。また、天板受け１４２の下端部における外側方を向いた側面に、物品を引っ掛けておくことのできるフック１４４を設けている。フック１４４は、天板受け１４２の外側面から外側方に突出している。このフック１４４はバンパーを兼ねており、その外側面は天板１５の外縁即ち左右の側縁よりも外側方に位置している。天板受け１４２は、ステー１４１の左右の両側部にそれぞれ二個ずつ、前後方向に沿って所定距離離間させて配置されている。つまり、天板受け１４２は、計四個存在し、それぞれが天板の四隅を下方から支持する。
【００２１】
図１に示しているように、天板１５は、ラップトップ型パーソナルコンピュータやタブレット型コンピュータ等の情報処理端末５を載置または設置でき、かつその情報処理端末５を使用した作業を支障なく遂行できる程度の面積を有した、平面視略長方形状の平板な部材である。天板１５は、例えば、木製の芯材の上面にメラミン樹脂板等の化粧板を貼付し、かつこれら芯材及び化粧板の周縁を端縁材で囲繞してなる。天板受け１４２と天板１５とは、例えばボルトを用いて締結する。なお、そのボルトが、ステー１４１を貫通して当該ステー１４１を天板受け１４２に固定する手段を兼ねていることがある。
【００２２】
本実施形態では、支柱１３の上端に固定した横架材にステー１４１を固定し、そのステー１４１に複数の天板受け１４２を固定し、かつそれら複数の天板受け１４２に天板１５を下方から支持させる。つまり、支柱１３が、横架材、ステー１４１及び天板受け１４２を介して間接的に天板１５を支持することになる。
【００２３】
前後方向に延伸するステー１４１の左右両側部は、天板１５の左右の側縁よりも内側方に位置する。だが、天板受け１４２の存在により、ステー１４１の左右両側部と天板１５の下面との間には、使用者の手を挿入し得る程度の隙間が生じる。故に、ステー１４１の側部を使用者が側方から把持することが可能であり、ナースカートを移動させる際にこれをハンドル代わりに利用できる。
【００２４】
また、天板受け１４２がステー１４１と天板１５との間に介在することにより、天板１５の直下に所定寸法の空間が形成される。本実施形態のナースカートは、この天板１５の直下の空間領域に、収納棚を備えている。
【００２５】
図２に示すように、本実施形態では、ナースカート１の天板１５に、当該ナースカート１に搭載される情報処理端末５その他の電気機器の給電コートを接続することのできるコンセント１５１が設けられている。コンセント１５１には、後述する受電装置３を通じて供給される交流電圧が印加される。
【００２６】
他方、本実施形態におけるピット２は、ナースカート１の使用者である看護師や介護士が集まるナースステーション等に配置されるもので、図１に示しているように、複数台のナースカート１を留め置くことができる。図１、図３及び図４に示すように、本実施形態におけるピット２は、脚ベース２１と、脚ベース２１に固定された脚柱２２と、脚柱２２の上端部に固定された天板受け２５と、天板受け２５の上に配された天板２６とを主たる構成要素とする。
【００２７】
脚ベース２１は、前後方向に伸長し、左右に対をなして存在しており、アジャスタ２１１を介して床面に接地する。アジャスタ２１１は、各脚ベース２１の下面側に複数個取り付けられている。
【００２８】
脚柱２２は、各脚ベース２１の前後方向の中央部位の上面側から起立している。脚ベース２１と同様、脚柱２２もまた左右に対をなして存在しており、それら脚柱２２は左右方向に伸長する横桟２３、２４により相互に連結されている。
【００２９】
天板受け２５は、前後方向に伸長し、左右に対をなして存在しており、天板２６の左右の側端部を下方から支持する。
【００３０】
天板２６は、左右方向に沿って大きく拡張した平面視略長方形状の平板な部材である。天板２６は、例えば、木製の芯材の上面にメラミン樹脂板等の化粧板を貼付し、かつこれら芯材及び化粧板の周縁を端縁材で囲繞してなる。天板受け２５と天板２６とは、例えばボルトを用いて締結する。
【００３１】
複数台のナースカート１を留置するために、ピット２の幅寸法、換言すれば左右に対をなす脚ベース２１及び脚柱２２の内法は、ナースカート１の幅寸法、換言すれば左右に対をなす脚ベース１１の外法よりも大きい。
【００３２】
本実施形態のナースカート１の使用者、例えば看護師や介護士は、ハンドル１６を把持してナースカート１を運搬しつつ、病院または診療所内の各所に移動しながら業務を遂行する。そして、病院または診療所内に滞在する患者の身体に関する情報等を取得し、その情報を情報処理端末５に入力する。
【００３３】
ナースカート１に搭載した情報処理端末５その他の電気機器への充電は、ナースステーション等においてナースカート１をピット２に留置している際に行われる。そのために、本実施形態では、ピット２に給電装置４を、ナースカート１に受電装置３を、それぞれ設けている。
【００３４】
ピット２側の給電装置は、ナースカート１及びピット２が運用される病院、診療所といった施設に敷設されている電源、即ち電灯線または電力線に接続し、当該電灯線または電力線から得られる交流電圧をナースカート１側の受電装置３に供給する役割を担う。図３、図４、図５ないし図８に示すように、ピット２側の給電装置は、窓を有する給電ケース４３と、給電ケース４３の内部に配された給電端子４１、４２と、給電ケース４３をピット２に支持させるための支持体４４とを具備する。
【００３５】
給電端子４１、４２は、上下に対をなして存在し、給電ケース４３内における窓４５に臨む位置に配置される。各給電端子４１、４２はそれぞれ、導電性の金属材料から構成される。特に、上側の給電端子４１は、給電ケース４３内でヒンジ４１１を介して前後に回動可能に支持されている。給電端子４１、４２は、病院または診療所に敷設されている電灯線または電力線のコンセントに接続するための差込プラグ４７と電気的に接続しており、当該電灯線または電力線から供給される交流電圧の印加を受ける。
【００３６】
給電装置４１、４２、給電ケース４３及び給電ケース４３に開設された窓４５はそれぞれ、左右方向に拡張している。窓４５には、給電ケース４３内に塵芥が侵入しないように窓４５を閉塞するカバー４５１、４５２が取り付けられる。カバー４５１、４５２は、変形容易かつ絶縁性の軟質樹脂材により作製される。
【００３７】
支持体４４は、ピット２の下方の横桟２３に係合する。つまり、給電ケース４３は、ピット２の下方の横桟２３に支持されて、ピット２の下端部位、床面付近の高さ位置に配される。本実施形態では、一基のピット２に対して複数台のナースカート１を留置し、それらナースカート１に搭載された情報処理端末５その他の電気機器に同時に給電することを想定している。故に、ピット２には、左右方向に沿って複数の給電装置４を実装してある。これら給電装置４は、ピット２において左右に対をなす脚ベース２１及び脚柱２２の間に所在している。
【００３８】
電源である電灯線または電力線から供給される交流電圧を給電端子４１、４２に印加するための電気回路上には、複数個のリードスイッチ４６が存在する。リードスイッチ４６は、磁石３５が生じさせる磁界により回路を閉じさせる周知のもので、本実施形態の給電装置４における検出手段及びスイッチング手段として機能する。これらリードスイッチ４６は、給電ケース４３の頂板の近傍にあって、左右方向に離間して配置される。
【００３９】
ナースカート１側の受電装置３は、ピット２側の給電装置４から交流電圧の給電を受け、その交流電圧を天板１５に設けたコンセント１５１に印加し、当該コンセント１５１に接続している情報処理端末５またはその他の電気機器に供給する。図４、図５ないし図８に示すように、ナースカート１側の給電装置は、ナースカート１をピット２に対して留置するときに給電ケース４３の窓４５に進入する受電端子３１、３２と、受電端子３１、３２と接続する電気回路の少なくとも一部を収める筐体３３と、受電端子３１、３２及び筐体３３をナースカート１に支持させるための支持体３４とを具備する。
【００４０】
受電端子３１、３２は、上下に対をなして存在する。上側の受電端子３１は、絶縁性の硬質樹脂の板片の上面に導電性の金属薄板または金属薄膜を固着したもので、給電装置４における上側の給電端子４１と同等の高さ位置に配される。上側の受電端子３１の直下にある下側の受電端子３２は、導電性の金属板から構成され、給電装置４における下側の給電端子４２と同等の高さ位置に配される。受電端子３１、３２の左右幅寸法は、給電装置４における窓４５及び給電端子４１、４２の左右幅寸法よりも小さい。
【００４１】
支持体３４は、その左右の側端部がナースカート１の左右の脚ベース１１に係合する。つまり、受電端子３１、３２及び筐体３３は、ナースカート１の下方の脚ベース１１に支持されて、ナースカート１の下端部位、床面付近の高さ位置に配される。受電装置３は、ナースカート１において左右に対をなす脚ベース１１の間に所在している。
【００４２】
筐体３３の左右の側面にはそれぞれ、磁石３５が固定されている。これら磁石３５は、給電装置４のリードスイッチ４６を閉じさせる働きをする。
【００４３】
ナースカート１をピット２に対して所定の停留位置に留置し、受電装置３の受電端子３１、３２を給電装置４の給電ケース４３に開設された窓４５に挿入すると、図７に示すように、受電端子３１が給電端子４１に接触し、かつ受電端子３２が給電端子４２に接触する。さらに、受電装置３の筐体３３が給電装置４の給電ケース４３の直上に位置し、筐体３３に取り付けた各磁石３５がそれぞれ給電ケース４３の頂板近傍にある各リードスイッチ４６に近接する。結果、電気回路上の各リードスイッチ４６が閉じ、電源から差込プラグ４７を介して供給される交流電圧がリードスイッチ４６、給電端子４１、４２及び受電端子３１、３２を通じてナースカート１のコンセント１５１に通電される状態となる。
【００４４】
なお、本発明は以上に詳述した実施形態に限られるものではない。上記実施形態では、検出手段兼スイッチング手段として、ナースカート１側に設けた磁石３５によりピット２側の給電用の電気回路を閉じるリードスイッチ４６を用いていたが、検出手段及びスイッチング手段の具体的態様はこれには限定されない。検出手段とスイッチング手段とを、別個のものとすることも妨げない。例えば、ピット２側に設ける検出手段としては、リードスイッチ４６以外に、磁石３５の存在を検出するホール素子や、窓４５に進入した受電端子３１、３２の存在を検出する光センサ（赤外線センサ等）、接触式のリミットスイッチ、あるいは、受電端子３１、３２に設けたＲＦＩＤ（Ｒａｄｉｏ  Ｆｒｅｑｕｅｎｃｙ  ＩＤｅｎｔｉｆｉｃａｔｉｏｎ）タグと通信するＲＦＩＤリーダ等を採用することが考えられる。そして、スイッチング手段としては、上掲のホール素子、光センサ、リミットスイッチ、ＲＦＩＤリーダ等を介して受電端子３１、３２が窓４５に挿入されたことを検知したときに点弧して給電用の電気回路を閉じる半導体スイッチング素子（パワートランジスタやＭＯＳＦＥＴ等）やリレー等を採用することができる。
【００４５】
また、本発明は、ナースカート以外の物品運搬用のワゴン一般に適用することが可能である。
【００４６】
その他、各部の具体的構成は、本発明の趣旨を逸脱しない範囲で種々変形が可能である。
【符号の説明】
【００４７】
１…ナースカート（ワゴン）
２…ピット
３…受電装置
３１、３２…受電端子
３５…磁石
４…給電装置
４１、４２…給電端子
４６…リミットスイッチ（検出手段、スイッチング手段）
【図１】
2018068699.tif 000003
【図２】
2018068699.tif 000004
【図３】
2018068699.tif 000005
【図４】
2018068699.tif 000006
【図５】
2018068699.tif 000007
【図６】
2018068699.tif 000008
【図７】
2018068699.tif 000009
【図８】
2018068699.tif 000010